(57)【特許請求の範囲】
【請求項１】
累進多焦点レンズの累進面側に、累進面として有効な累進面領域と、累進面としては有効でない非累進面領域とを有し、該非累進面領域が累進面領域の周辺部にツバ面として形成される累進多焦点レンズにおいて、上記ツバ面を曲面とし、かつ上記累進面領域の遠用参照点の平均面屈折力をＤｆ（ディオプター）、上記累進面領域と非累進面領域の境界における累進面と非累進面のなす角度をψ（°）とするとき、下記条件式（１）及び（２）を満足することを特徴とする累進多焦点レンズ。
（１） Ｄｆ≦３
（２） ＳＴＤ（ψ）／ＡＶＧ（ψ）≦０．１５
但し、
ＳＴＤ（ψ）：レンズ全周に渡ってのψの標準偏差、
ＡＶＧ（ψ）：レンズ全周に渡ってのψの平均値。
【請求項２】
請求項１記載の累進多焦点レンズにおいて、さらに、下記条件式（３）及び（４）を満足する累進多焦点レンズ。
（３） Ｄｆ≦２
（４） ＳＴＤ（ψ）／ＡＶＧ（ψ）≦０．１
【請求項３】
累進多焦点レンズの累進面側に、累進面として有効な累進面領域と、累進面としては有効でない非累進面領域とを有し、該非累進面領域が累進面領域の周辺部にツバ面として形成される累進多焦点レンズにおいて、上記ツバ面を球面の一部として形成し、該球面の凸の方向を上記累進面の凸の方向と逆向きにしたことを特徴とする累進多焦点レンズ。
【請求項４】
請求項３記載の累進多焦点レンズにおいて、上記球面の面屈折力をＤｓ（ディオプター）、上記累進面領域の遠用参照点の平均面屈折力をＤｆ（ディオプター）とするとき、ＤｓとＤｆは異符号である累進多焦点レンズ。
【請求項５】
請求項４記載の累進多焦点レンズにおいて、下記条件式（５）、（６）を満足する累進多焦点レンズ。
（５）Ｄｆ≦３
（６）Ｄｓ≦Ｄｆ−２
【請求項６】
請求項５記載の累進多焦点レンズにおいて、下記条件式（７）、（８）を満足する累進多焦点レンズ。
（７）Ｄｆ≦２
（８）Ｄｓ≦Ｄｆ−３
【請求項７】
累進多焦点レンズの累進面側に、累進面として有効な累進面領域と、累進面としては有効でない非累進面領域とを有し、該非累進面領域が累進面領域の周辺部にツバ面として形成される累進多焦点レンズにおいて、上記ツバ面を曲面とし、かつ上記非累進面領域をトーリック面またはシリンダー面の一部として形成し、このトーリック面またはシリンダー面の垂直方向の面屈折力をＤｖ（ディオプター）、水平方向の面屈折力をＤｈ（ディオプター）とするとき、下記条件式（９）を満足することを特徴とする累進多焦点レンズ。
（９）Ｄｈ≦Ｄｖ
【請求項８】
累進多焦点レンズの累進面側に、累進面として有効な累進面領域と、累進面としては有効でない非累進面領域とを有し、該非累進面領域が累進面領域の周辺部にツバ面として形成される累進多焦点レンズにおいて、上記ツバ面をトーリック面の一部として形成し、該トーリック面の凸の方向を上記累進面の凸の方向と逆向きにしたことを特徴とする累進多焦点レンズ。
【請求項９】
累進多焦点レンズの累進面側に、累進面として有効な累進面領域と、累進面としては有効でない非累進面領域とを有し、該非累進面領域が累進面領域の周辺部にツバ面として形成される累進多焦点レンズにおいて、上記ツバ面をシリンダー面の一部として形成し、該シリンダー面の凸の方向を上記累進面の凸の方向と逆向きにしたことを特徴とする累進多焦点レンズ。
【請求項１０】
請求項７ないし９のいずれか１項記載の累進多焦点レンズにおいて、さらに、下記条件式（１０）、（１１）を満足する累進多焦点レンズ。
（１０）Ｄｆ≦３
（１１）（Ｄｈ＋Ｄｖ）／２≦Ｄｆ−２
【請求項１１】
累進多焦点レンズの累進面側に、累進面として有効な累進面領域と、累進面としては有効でない非累進面領域とを有し、該非累進面領域が累進面領域の周辺部にツバ面として形成される累進多焦点レンズにおいて、上記ツバ面をドーナツ状のトロイダル面の一部として形成したことを特徴とする累進多焦点レンズ。
【請求項１２】
累進多焦点レンズの累進面側に、累進面として有効な累進面領域と、累進面としては有効でない非累進面領域とを有し、該非累進面領域が累進面領域の周辺部にツバ面として形成される累進多焦点レンズにおいて、上記ツバ面を円錐面の一部として形成し、該円錐面の頂点の方向を上記累進面の凸の方向と逆向きにしたことを特徴とする累進多焦点レンズ。
【請求項１３】
請求項１２記載の累進多焦点レンズにおいて、上記累進面領域の遠用参照点の平均面屈折力をＤｆ（ディオプター）、上記円錐面の頂角をΩ（°）とするとき、下記条件式（１２）、（１３）を満足する累進多焦点レンズ。
（１２）Ｄｆ≦３
（１３）Ω≦１７０
【発明の詳細な説明】
【０００１】
【技術分野】
本発明は、老視矯正用眼鏡レンズで、遠用部から近用部にかけて連続的に屈折力が変化する累進多焦点レンズに関し、特に、周辺に形成されるツバ面部の幅を小さくして有効面積を大きく取れるようにした累進多焦点レンズ及びその成形型に関する。
【０００２】
【従来の技術とその問題点】
樹脂製の眼鏡レンズの製造工程においては、図１６に示すように、成形型５１，５２とガスケット５３との間の空間に液体状のモノマー５４を注入し、加熱によって重合反応を起こし、ポリマーとして固体化されたレンズ５０を得ている。
【０００３】
ガスケット５３は、モノマー５４が成形型５１と５２との間から漏れないように閉じこめ、さらに、モノマーからポリマーへの重合による体積変化を吸収するように、ある程度弾性変形が可能な素材で作られている。
樹脂製の単焦点レンズや遠近の境目のある多焦点レンズ、又はそれらの半完成品などを成形する型は、普通は球面でできており、ガスケット５３の厚みＴはレンズの全周に渡って一定でよい。また、乱視用レンズの完成品成形型では、トーリックな面形状にならった厚み変化を持ったガスケットが必要であるが、ガスケットの種類が最小限で済むように、トーリック面の系列化がなされている。
【０００４】
しかるに、累進多焦点レンズの成形型のうち累進面側の形は複雑な非球面になっており、図１６のような成形型とガスケットの形状では、ガスケットの厚みを場所に応じて変えておかねばならない。レンズの光学中心と外径中心とを偏心させて設計された累進多焦点においては、レンズ外周に沿ったガスケットの厚みの変化はさらに複雑になる。
【０００５】
レンズ５０の外径を５５、成形型５１，５２の外径を５６で示し、座標系を図１７，１８のようにとり、任意の角度θにおけるレンズの両面の座標Ｚ１，Ｚ２（図１８）をＺ軸上にとれば、図１９に示すようなグラフが得られる。任意の角度θにおけるＺ１，Ｚ２間の距離が、角度θにおけるガスケットの厚さＴとなる。
【０００６】
累進多焦点レンズは、遠用部の度数区分に応じたベースカーブと、近用部の度数（遠用部と近用部の度数の差を加入度数という）との組み合わせによって、一製品系列だけでも累進面の種類が１００種類を上回ってしまい、すべての累進面ごとに厚みＴに変化を持たせてガスケットを用意することは製造コストや管理を考えると実際的ではない。
【０００７】
そこで従来は、図２０に示すように、累進面の型５１の周辺部を平面に研削研磨して、累進面として有効な領域（累進面領域）５７の周辺に、累進面としては有効でない領域（非累進面領域）５８をいわゆるツバ面（平坦面）として設けることにより、ガスケット５３の場所による（θの変化による）厚みの変化を無くしていた。
【０００８】
このようにすることで、図２１に示すように、ガスケットの厚みＴがレンズの外周のどこでも一定となり、しかも、違うベースカーブと加入度数の組み合わせによる種々の累進面に、共通したガスケットを使用できるようになった。
図２２は、ツバ面５８を有するガスケットを用いて成形した累進多焦点レンズの累進面側成形型の正面図である。同図に示すように、累進面領域５７の周辺（上下）に、非累進領域５８が形成されている。累進面領域５７の有効径は、特に垂直方向で狭くなってしまうが、眼鏡フレームの玉型は一般的に水平方向より垂直方向の幅が狭いため、実質的に問題となるようなケースは稀であった。
【０００９】
しかし、近年、眼鏡レンズの薄型化・軽量化の要望に答えるべく、従来のものよりも浅いベースカーブを用いた累進多焦点レンズが開発されるに至った。特にマイナス強度用のものにおいては、従来のような平面の「ツバ面５８」をつけると、垂直方向の有効径が無視できないほど狭くなってしまうという問題が発生する。
【００１０】
図２３は、従来例１を示す図で、加入屈折力３．００ディオプター、遠用部屈折力Ｓ−７．００〜−１０．００ディオプター程度の強度近視性老視の矯正に用いられる累進多焦点レンズの正面図である。レンズの外径が７０φ（ｍｍ）に対し、累進面として有効な領域は、水平方向ではほぼレンズ径いっぱいを占めているが、垂直方向には、上下にそれぞれ８．２ｍｍ幅の非累進面領域が平面の「ツバ面５８」として付き、有効径を狭めている。なお、累進面の遠用参照点５９における平均面屈折力は０．１２ディオプター、素材の屈折率は１．６である。
【００１１】
図２５は累進多焦点レンズの累進面領域５７を構成する面の垂直断面６０と、水平断面６１とを重ねて描いた図で、理解し易くするために、横方向だけを拡大した図である。ツバ面の垂直断面線６２と水平断面線６３とを一点鎖線で示す。点６４，６４´は、垂直断面における累進面とツバ面との交点を示し、点６５，６５´は、水平断面における累進面とツバ面との交点を示す。ψは上記各交点においてツバ面と累進面とに立てた法線相互が成す角度で、括弧内の数字は図１７に示す角度θを表す。Ｗａはツバ面の上部の幅、Ｗｂはツバ面の下部の幅であり、ＷａとＷｂとが等しくなるように、累進面は適当な角度で傾けられる。
【００１２】
図２４は、従来例２を示す図で、加入屈折力３．００ディオプター、遠用部屈折力Ｓ−３．００〜−６．００ディオプター程度の近視性老視の矯正に用いられる累進多焦点レンズの正面図である。レンズの外径が７５φ（ｍｍ）に対し、累進面として有効な領域は、水平方向ではほぼレンズ径いっぱいを占めているが、垂直方向には、上下にそれぞれ４．１ｍｍ幅の非累進面領域が平面の「ツバ面５８」として付き、有効径を狭めている。なお、累進面の遠用参照点５９における平均面屈折力は２．０４ディオプター、素材の屈折率は１．６である。
【００１３】
図２６は、従来例２について図２５と同じく、累進多焦点レンズの累進面領域５７を構成する面の垂直断面６０と、水平断面６１とを重ねて描いた図である。
図２５，２６から理解できることは、ツバ面の幅Ｗａ，Ｗｂは、同じ加入度数ならば、累進面のベースカーブが浅いほど広くなるということである。
【００１４】
この原因を考察すると、ベースカーブが浅い従来例１の場合には、累進面領域５７と非累進面領域ツバ面５８の境界において、累進面とツバ面のなす角ψが図２５に示すように平均的に小さくなり、平均のψが小さいほどψの変動による累進面とツバ面の交点位置の変動が大きくなる。その結果、垂直断面の交点６４，６４´の位置と水平断面の交点６５，６５´の位置の差であるツバ面幅Ｗａ，Ｗｂが広くなるのである。
【００１５】
従来例１，２について、ψをθの関数としてグラフ化すると、従来例１は図２７に、従来例２は図２８に示すようになる。ψの平均値をＡＶＧ（ψ）  、標準偏差をＳＴＤ（ψ）  で表し、
【数１】
0003619264.tif 000002
と定義し、これらの比ＳＴＤ（ψ）  ／ＡＶＧ（ψ）  を累進面とツバ面のなす角の変動程度を表す係数（変動係数）と考えると、従来例１は０．２８、従来例２は０．１３となっている。
【００１６】
【発明の目的】
本発明は、上記の事実に鑑みてなされたもので、浅いベースカーブでも、ツバ面幅を狭くできる累進多焦点レンズ及びその成形型を提供することを目的としている。
【００１７】
【発明の概要】
本発明は、累進面とツバ面の成す角ψをある程度大きくなるように設定し、ＳＴＤ（ψ）  ／ＡＶＧ（ψ）  を小さくすることにより、ツバ面幅を狭くすることを目的としている。累進面は光学性能的要求及び外観的要求により、形状が決まってしまうので、ツバ面を従来のような平面状に形成せず、曲面としたことに特徴がある。曲面としては、累進面と反対向きに凸になる、円錐面、トーリック面、球面又はシリンダー面や、ドーナツ状のトロイダル面などを用いることができる。
【００１８】
すなわち本発明は、その第一の態様によると、累進多焦点レンズの累進面側に、累進面として有効な累進面領域と、累進面としては有効でない非累進面領域とを有し、該非累進面領域が累進面領域の周辺部にツバ面として形成される累進多焦点レンズにおいて、ツバ面を曲面から構成し、累進面領域の遠用参照点の平均面屈折力をＤｆ（ディオプター）、累進面領域と非累進面領域の境界における累進面と非累進面のなす角度をψ（°）とするとき、次の条件式（１）及び（２）を満足することを特徴としている。
（１） Ｄｆ≦３
（２） ＳＴＤ（ψ）／ＡＶＧ（ψ）≦０．１５
【００１９】
さらに次の条件式（３）及び（４）を満足することがより好ましい。
（３）  Ｄｆ≦２
（４）  ＳＴＤ（ψ）／ＡＶＧ（ψ）≦０．１
【００２０】
ツバ面を球面の一部として形成する場合には、該球面の凸の方向を累進面の凸の方向と逆向きにする。別言すると、球面の面屈折力をＤｓ（ディオプター）、累進面領域の遠用参照点の平均面屈折力をＤｆ（ディオプター）とするとき、ＤｓとＤｆを異符号とする。より具体的には、次の条件式（５）、（６）を満足することが好ましい。
（５）Ｄｆ≦３
（６）Ｄｓ≦Ｄｆ−２
さらに次の条件式（７）及び（８）を満足することがより好ましい。
（７）Ｄｆ≦２
（８）Ｄｓ≦Ｄｆ−３
【００２１】
非累進面領域は、例えばトーリック面またはシリンダー面の一部として形成することができる。このトーリック面またはシリンダー面は、その垂直方向の面屈折力をＤｖ（ディオプター）、水平方向の面屈折力をＤｈ（ディオプター）とするとき、次の条件式（９）を満足することが好ましい。
（９）Ｄｈ≦Ｄｖ
【００２２】
ツバ面をトーリック面またシリンダー面の一部として形成する場合には、該トーリック面またはシリンダー面の凸の方向を上記累進面の凸の方向と逆向きにする。そして、このトーリック面またはシリンダー面は、さらに次の条件式（１０）、（１１）を満足することが好ましい。
（１０）Ｄｆ≦３
（１１）（Ｄｈ＋Ｄｖ）／２≦Ｄｆ−２
【００２３】
ツバ面は、ドーナツ状のトロイダル面の一部として形成することもできる。
ツバ面を円錐面の一部として形成する場合には、該円錐面の頂点の方向を累進面の凸の方向と逆向きにする。具体的には、累進面領域の遠用参照点の平均面屈折力をＤｆ（ディオプター）、円錐面の頂角をΩ（°）とするとき、次の条件式（１２）、（１３）を満足することが好ましい。
（１２）Ｄｆ≦３
（１３）Ω≦１７０
【００２４】
以上の条件式（１）、（５）、（１０）、（１２）のＤｆ≦３は、本発明は緩いベースカーブの累進多焦点レンズに適用することを意味し、ベースカーブがこの条件式よりきついものは、ツバ幅が元々狭いので、問題外である。
条件式（２）、（６）、（１１）、（１３）は、ある程度ツバ幅を狭くする効果の期待できる条件であり、これを外れると効果が少なくなる。
条件式（３）、（７）と条件式（４）、（８）は、より緩いベースカーブの累進面にはψをより大きくしないと十分な効果が得られないことを意味する。しかしψを大きくし過ぎると、加工性が急に悪くなり、またプリズム誤差が発生しやすくなるので、これらの条件式に示すように、ψは不必要には大きくしない。
【００２６】
【発明の実施例】
以下に本発明の実施例を図面によって説明する。
図１、図２は、本発明の第１実施例を示す図で、図１は従来例１と同一仕様の累進多焦点レンズ５０を用いた例で、このレンズの累進面領域５７を構成する面の垂直断面６０と、水平断面６１とを重ねて描いた図で、図２５と同様に横方向だけを拡大している。図２は累進多焦点レンズの正面図である。この実施例では、ツバ面５８を−３ディオプターの球面の一部としている。ツバ面の垂直断面線６２と水平断面線６３とは完全に重なり、一点鎖線で表されている。ツバ面の幅は従来例の８．２ｍｍから２．７ｍｍにまで減少できた。
【００２７】
図１のψは、従来例で説明したのと同じで、累進面５７と、ツバ面５８との成す角を表し、括弧内の数字は、図１７の角θを示す。
図３は、図１、２に示す累進多焦点レンズのψ−θ線図で、図２７に対応する図である。これらの図を比較すると、本発明の実施例では、ψが全体にほぼ１０゜大きくなっている（すなわちＡＶＧ（ψ）  は大きくなった）。一方、ＳＴＤ（ψ）  はほぼ同じと考えられる。したがって、変動係数ＳＴＤ（ψ）  ／ＡＶＧ（ψ）  は、従来例の０．２８から０．０９と大幅に小さくなった。
このような球面の一部を成すツバ面を加工するには、図４に示すような通常の球面加工用の荒摺り皿６７で累進面側形成用型５１の端面を加工し、続いて砂掛け・研磨すればよい。
【００２８】
ツバ面の幅を狭くするという目的のためには、球面の曲率を累進面の曲率と逆方向に強くすればよいが、過度に曲率を強くすると、ツバ面の加工性が悪くなり、またガスケットと成形型の嵌合ずれによるプリズム誤差が大きくなる。そこで、ツバ面の加工性とプリズム誤差への影響度を考慮し、ツバ面幅は実質的に問題とならない程度まで減少させるにとどめたものが、次の第２実施例である。
【００２９】
図５は、本発明の第２実施例による累進多焦点レンズの正面図を示す。累進多焦点レンズとしては、第１実施例と同じ仕様のものを使用した。この実施例では、ツバ面（非累進面領域）ツバ面５８を−２ディオプターの球面の一部としている。このようにツバ面の曲率を制限することにより、ツバ面幅を従来の８．２ｍｍから３．４ｍｍのほぼ問題とならない程度にまで減少するとともに、ツバ面の曲率が緩いので、加工し易くなり、しかもプリズム誤差への影響も少なくなった。
【００３０】
図６は、本発明の第３実施例を示す図である。この例では、従来例１ほどベースカーブは浅くない。したがって、ツバ面５８も−２ディオプターの球面の一部で形成しても、ツバ面幅を２．６ｍｍとさらに狭くすることができる。
【００３１】
一般的に累進面の形状は水平断面よりも垂直断面の方が見かけのカーブがきつい。したがって、ツバ面もそれに合わせて水平断面と垂直断面に曲率差を設けておくと、ツバ面幅を狭くできる。
図７、図８は第４実施例を示す図で、ツバ面の水平断面６３と垂直断面６２に曲率差を設けた実施例である。図７は累進多焦点レンズ５０の垂直断面６０と水平断面６１、及びツバ面の垂直断面６２と水平断面６３を重ねて描いた図１と同様の図、図８はレンズの正面図である。この実施例では、水平断面６３の面屈折力Ｄｈを−２．５ディオプター、垂直断面６２の面屈折力Ｄｖを−２ディオプターのトーリック面の一部としたものである。この構成により、ツバ面幅は０．９ｍｍにまで減少できる。このようなトーリック面のツバ面を持った累進面形成用型を加工するのには、トーリックジェネレータでツバ面５８の荒摺りをし、続いて砂掛け・研磨すればよい。
【００３２】
図９、図１０は本発明の第５実施例を示す図である。この実施例では、従来例１ほどベースカーブが浅くないので、ツバ面５８をトーリック面にするまでもなく、水平断面６３の面屈折力Ｄｈを−０．５ディオプター、垂直断面６２の面屈折力Ｄｖを０ディオプターのシリンダー面の一部としたものである。ツバ面幅は１．３ｍｍにまで減少できた。
【００３３】
図１１、図１２は、本発明の第６実施例を示す。この実施例では、ツバ面を頂角が１６０゜の円錐面の一部としている。円錐の頂点６８の方向は、累進面５７の凸の方向と逆向きである。ツバ面幅は２．６ｍｍにまで減少できる。円錐の頂角は適当な角度でよいのであるが、１７０゜程度が限度で、それ以上になると、従来例（１８０゜）に近づき、効果がなくなる。
【００３４】
図１３は、ツバ面を円錐面の一部として加工する１例を示す図である。図４に示した荒摺り皿６７の代わりに、円錐面皿を用いてもよいが、図１３に示すような円筒状、円盤状、あるいはカップ状の砥石６９で成形型の端面を研削してもよい。
【００３５】
図１４のように、鼓状砥石７０で加工すれば、ドーナツ型を含むトロイダル面の一部としてツバ面を形成することができ、この場合でもツバ面幅を狭くできるという効果はおなじである。
以上に説明した従来例１，２及び、第１実施例から６に使用した累進多焦点レンズのデータを表１に示す。なお、総てのレンズにおいて、加入屈折力は３．００ディオプター、素材の屈折率は１．６である。
【表１】
0003619264.tif 000003
【００３６】
以上の実施例では、累進面領域５７と非累進面領域ツバ面５８との境界が明確な場合しか言及していないが、図１５に示すように、境界６６を研磨などにより、なめらかにしても同様の効果を得られることは明白である。このような場合には、累進面およびツバ面を外挿して得られる交線を境界とし、累進面とツバ面の成す角はこの外挿された累進面及びツバ面に対して適用するものとする。
【００３７】
【発明の効果】
以上に説明したように、本発明によれば、周辺部に非累進面領域としてツバ面を有する累進多焦点レンズにおいて、累進面のベースカーブが浅い場合でも、ツバ面幅の狭いレンズ及びその成形型を得ることができる。
【図面の簡単な説明】
【図１】本発明の第１実施例を示す図で、累進多焦点レンズの累進面側における水平断面と垂直断面の形状カーブと、ツバ面の形状カーブとを重ねて描いた図である。
【図２】本発明の第１実施例の累進多焦点レンズの正面図である。
【図３】第１実施例の累進面とツバ面とのなす角の変動を示す図である。
【図４】第１実施例のツバ面の形成方法を説明する図である。
【図５】本発明の第２実施例による累進多焦点レンズの正面図である。
【図６】本発明の第３実施例による累進多焦点レンズの正面図である。
【図７】本発明の第４実施例における図１と同様の図である。
【図８】本発明の第４実施例の累進多焦点レンズの正面図である。
【図９】本発明の第５実施例における図１と同様の図である。
【図１０】本発明の第５実施例の累進多焦点レンズの正面図である。
【図１１】本発明の第６実施例における図１と同様の図である。
【図１２】本発明の第６実施例の累進多焦点レンズの正面図である。
【図１３】第６実施例のツバ面の形成方法を説明する図である。
【図１４】ツバ面がトロイダル面の場合の形成方法を説明する図である。
【図１５】（ａ）  は累進面領域と非累進面領域（ツバ面）との境界を滑らかにした実施例の図で、（ｂ）  は（ａ）  の○部を拡大した図である。
【図１６】従来の一般的な樹脂製レンズの成形方法を説明する図である。
【図１７】座標系を説明する図である。
【図１８】座標系を説明する図である。
【図１９】ツバ面を形成しない場合の累進多焦点レンズ成形用ガスケットの厚さを示す図である。
【図２０】従来の平面によるツバ面を付けた累進多焦点レンズの成形方法を説明する図である。
【図２１】ツバ面を付けた場合の累進多焦点レンズ成形用ガスケットの厚さを示す図である。
【図２２】ツバ面を付けた累進面側成形用型の正面図である。
【図２３】従来例１の累進多焦点レンズの正面図である。
【図２４】従来例２の累進多焦点レンズの正面図である。
【図２５】従来例１の累進多焦点レンズの累進面側における水平断面と垂直断面の形状カーブと、ツバ面の平面とを重ねて描いた図である。
【図２６】従来例２の図２５と同様の図である。
【図２７】従来例１の累進面とツバ面との成す角の変動を示す図である。
【図２８】従来例２の累進面とツバ面との成す角の変動を示す図である。
【符号の説明】
５０      累進多焦点レンズ
５１      成形型
５７      累進面領域
５８      ツバ面
【図１】
0003619264.tif 000004
【図２】
0003619264.tif 000005
【図３】
0003619264.tif 000006
【図４】
0003619264.tif 000007
【図５】
0003619264.tif 000008
【図６】
0003619264.tif 000009
【図７】
0003619264.tif 000010
【図８】
0003619264.tif 000011
【図９】
0003619264.tif 000012
【図１０】
0003619264.tif 000013
【図１１】
0003619264.tif 000014
【図１２】
0003619264.tif 000015
【図１３】
0003619264.tif 000016
【図１４】
0003619264.tif 000017
【図１５】
0003619264.tif 000018
【図１６】
0003619264.tif 000019
【図１７】
0003619264.tif 000020
【図１８】
0003619264.tif 000021
【図１９】
0003619264.tif 000022
【図２０】
0003619264.tif 000023
【図２１】
0003619264.tif 000024
【図２２】
0003619264.tif 000025
【図２３】
0003619264.tif 000026
【図２４】
0003619264.tif 000027
【図２５】
0003619264.tif 000028
【図２６】
0003619264.tif 000029
【図２７】
0003619264.tif 000030
【図２８】
0003619264.tif 000031